(57)【要約】【課題】ますに接続される汚水配管に汚水の漏洩等の異常が発生した場合、汚水を、ますの外部へ好適に流すことが可能な、ますを提供する。【解決手段】ます１Ａでは、ます本体１０の流入側インバート２１と第１流出側インバート３１とは、それぞれ胴体部１１の側部１４に設けられている。流入側インバート２１の流入端２０と第１流出側インバート３１の流出端３０とは、胴体部１１内に配置されている。第２流出管４１は、胴体部１１の下部に接続されている。胴体部１１内には、第２流出管４１に繋がる第２流出口４０が設けられている。第２流出口４０には、流入端２０と流出端３０とが繋がっている。流入端２０の幅方向の中心と流出端３０の幅方向の中心とを繋ぐ第２流出口４０の開口距離は、流出端３０の幅よりも長い。蓋５０は、胴体部１１内で第２流出口４０に取り付けられ、第２流出口４０を閉塞する。【選択図】図３
2014163056.tif 000002
【特許請求の範囲】
【請求項１】
ます本体と、
蓋と、
を備え、
前記ます本体は、
筒状の胴体部と、
流入側インバートと、
第１流出側インバートと、
第２流出管と、
を備え、
前記流入側インバートと前記第１流出側インバートとは、それぞれ前記胴体部の側部に設けられ、
前記流入側インバートに設けられた流入端と前記第１流出側インバートに設けられた流出端とは、前記胴体部内に配置され、
前記第２流出管は、前記胴体部の下部に接続され、
前記胴体部内には、前記第２流出管に繋がる第２流出口が設けられており、
前記第２流出口には、前記流入端と前記流出端とが繋がっており、
前記第２流出口における、前記流入端の幅方向の中心と前記流出端の幅方向の中心とを繋ぐ前記第２流出口の開口距離は、前記流出端の幅よりも長く、
前記蓋は、前記胴体部内で前記第２流出口に取り付けられ、前記第２流出口を閉塞する、ます。
【請求項２】
前記流入端の幅方向の中心を通り、前記流入端の幅方向と直交する方向における前記第２流出口の第２開口距離は、前記流出端の幅よりも長い、請求項１に記載された、ます。
【請求項３】
ます本体と、
蓋と、
を備え、
前記ます本体は、
筒状の胴体部と、
流入側インバートと、
第１流出側インバートと、
第２流出管と、
を備え、
前記流入側インバートと前記第１流出側インバートとは、それぞれ前記胴体部の側部に設けられ、
前記流入側インバートに設けられた流入端と前記第１流出側インバートに設けられた流出端とは、前記胴体部内に配置され、
前記第２流出管は、前記胴体部の下部に接続され、
前記胴体部内には、前記第２流出管に繋がる第２流出口が設けられており、
前記第２流出口には、前記流入端と前記流出端とが繋がっており、
前記流入端の幅方向の中心を通り、前記流入端の幅方向と直交する方向における前記第２流出口の第２開口距離は、前記流出端の幅よりも長く、
前記蓋は、前記胴体部内で前記第２流出口に取り付けられ、前記第２流出口を閉塞する、ます。
【請求項４】
前記蓋は、前記第２流出管内に嵌め込まれる嵌合部を備えている、請求項１から３までの何れか一つに記載された、ます。
【請求項５】
前記蓋は、前記流入側インバートと前記第１流出側インバートとを繋ぐ中間インバートを備えている、請求項１から４までの何れか一つに記載された、ます。
【請求項６】
前記蓋は、前記流入側インバートと前記第１流出側インバートとを繋ぐ中間インバートを備え、
前記中間インバートのうち、前記嵌合部の上方に位置する部位に、上方に突出した把持部が形成されている、請求項４に記載された、ます。
【請求項７】
前記把持部は、前記中間インバートの幅方向の両側から前記中間インバートを横断するように延びた取手である、請求項６に記載された、ます。
【請求項８】
前記第２流出管は、前記第２流出管の流出方向に向かうにつれて徐々に絞られた絞り部を備えた、請求項１から７までの何れか一つに記載された、ます。
【請求項９】
前記絞り部は、テーパー面である、請求項８に記載された、ます。
【請求項１０】
前記絞り部は、湾曲面である、請求項８に記載された、ます。
【発明の詳細な説明】
【技術分野】
【０００１】
本発明は、ますに関する。
【背景技術】
【０００２】
例えば、特許文献１には、上部に開口する有底の縦筒部と、縦筒部の左右に突設された通常時管路と、通常時管路の下側で縦筒部から一方向に突設された応急時管路と、応急時管路を閉鎖する閉鎖扉と、を有する、切換えソケットが開示されている。この切換えソケットは、通常時には閉鎖扉によって応急時管路が閉鎖されている。このため、通常時の排水は、通常時管路を通じて排水経路に流れる。応急時には、閉鎖扉を引き上げることで応急時管路を開放することによって、排水は縦筒部を自然に落下して、通常時管路の下側で縦筒部から一方向に突設された応急時管路へ流れる。
【０００３】
また、特許文献２には、ますに接続される汚水配管に汚水の漏洩等の異常が発生した場合に、これに対応する機能を有する、ます（排水ます）が開示されている。特許文献２に開示された、ますは、ます本体と、蓋体と、を備えている。上記ます本体は、有底の筒体であり、上部に点検口が設けられている。ます本体の一側部には、流入口が設けられている。また、流入口に対向する他側部に第１流出口が設けられている。ます本体の底部には、流入口と第１流出口を繋ぐ流路が設けられている。流入口と第１流出口を繋ぐ流路には、鉛直下方に開口した第２流出口が形成されている。また、上記蓋体は、第２流出口を閉塞すべく第２流出口に取り付けられている。
【０００４】
このますは、通常時、第２流出口に蓋体が取り付けられており、第２流出口が閉塞されている。このため、通常時、排水は流入口からます本体に流入し、第１流出口から排出される。また、例えば、第１流出管が破損したり、第１流出管に異物が詰まるような異常時には、第２流出口に取り付けられた蓋体を取り外す。これにより、第２流出口の閉塞状態を解除し、第２流出口を開放することができる。第２流出口が開放されると、ます本体に流入した排水は第２流出口から外部に排出される。
【先行技術文献】
【特許文献】
【０００５】
【特許文献１】特開平７−３００８９７号公報
【特許文献２】特開２０１０−１３８５９３号公報
【発明の概要】
【発明が解決しようとする課題】
【０００６】
特許文献１に開示された切換えソケットは、通常時管路と応急時管路との間の縦筒部の内部に大きな落ち込んだ空間がある。このため、応急時に流れる排水は、縦筒部の大きな落ち込んだ空間に留まることがあった。
【０００７】
また、特許文献２に開示された、ますは、ます本体の底部に流入口と第１流出口を繋ぐ流路が設けられており、流入口と第１流出口を繋ぐ流路に鉛直下方に開口した第２流出口が形成されている。このため、第２流出口に取り付けられた蓋体を取り外すと、流入口からます本体内に流入した排水は、第２流出口へ流れるようになるが、流入口からます本体内に流入した排水の勢いが強い場合には、排水の一部が第２流出口を飛び越え、第１流出口へ流れ込むこともあった。
【課題を解決するための手段】
【０００８】
ここで提案される、ますは、ます本体と、蓋と、を備えている。ます本体は、筒状の胴体部と、流入側インバートと、第１流出側インバートと、第２流出管と、を備えている。流入側インバートと第１流出側インバートとは、それぞれ胴体部の側部に設けられている。流入側インバートに設けられた流入端と第１流出側インバートに設けられた流出端とは、胴体部内に配置されている。第２流出管は、胴体部の下部に接続されている。胴体部内には、第２流出管に繋がる第２流出口が設けられている。第２流出口には、流入端と流出端とが繋がっている。そして、第２流出口における、流入端の幅方向の中心と流出端の幅方向の中心とを繋ぐ第２流出口の開口距離は、流出端の幅よりも長い。また、蓋は、胴体部内で第２流出口に取り付けられ、第２流出口を閉塞する。
【０００９】
蓋が第２流出口を閉塞している場合、汚水は流入側インバートから第２流出管には流れずに、第１流出側インバートへ流れる。そして、蓋が第２流出口から取り外されて第２流出口が開口している場合、汚水は流入側インバートから第２流出管へ流れる。このとき、第２流出口には、流入端と流出端とが繋がり、かつ、流入側インバートの流入端の幅方向の中心と第１流出側インバートの流出端の幅方向の中心とを繋ぐ第２流出口の開口距離は、流出端の幅よりも長いため、流入側インバートより流入された汚水は、第１流出側インバートよりも第２流出管へと流れ易い。よって、蓋が第２流出口を閉塞している場合、汚水を流入側インバートから第１流出側インバートへ好適に流すことができ、蓋が第２流出口から取り外されて第２流出口が開口している場合、汚水を流入側インバートから第２流出管へ好適に流すことができる。
【００１０】
例えば、流入端の幅方向の中心を通り、流入端の幅方向と直交する方向における第２流出口の第２開口距離は、流出端の幅よりも長くてもよい。このことによって、蓋が第２流出口を閉塞している場合、流入側インバートから流れる汚水を、第２流出口へスムーズに流すことができる。
【００１１】
例えば、蓋は、第２流出管内に嵌め込まれる嵌合部を備えていてもよい。
【００１２】
このことによって、蓋によって第２流出口が閉塞されている場合、嵌合部によって第２流出口を介して第２流出管内に汚水が流れることを防止することができる。
【００１３】
また、蓋は、流入側インバートと第１流出側インバートとを繋ぐ中間インバートを備えていてもよい。
【００１４】
蓋によって第２流出口が閉塞されている場合、中間インバートによって流入側インバートと第１流出側インバートとが繋がれているため、汚水は、中間インバートを介して第１流側インバートへ好適に流れる。
【００１５】
例えば、中間インバートのうち、嵌合部の上方に位置する部位に、上方に突出した把持部が形成されていてもよい。
【００１６】
嵌合部が第２流出管内に嵌合されている場合、嵌合部にかかる圧力等によって上記嵌合を解除しにくいときがある。しかし、ここでは、中間インバートのうち、嵌合部の上方に位置する部位に把持部が形成されているため、作業者は、把持部を持って蓋を持ち上げることで、嵌合部を第２流出管内から容易に外すことができる。
【００１７】
例えば、把持部は、中間インバートの幅方向の両側から中間インバートを横断するように延びた取手であってもよい。
【００１８】
このことによって、把持部の位置から、中間インバートの向きを特定することができる。よって、作業者は、中間インバートを流入側インバートと第１流出側インバートを繋ぐように配置し易くなる。
【００１９】
例えば、第２流出管は、第２流出管の流出方向に向かうにつれて徐々に絞られた絞り部を備えていてもよい。
【００２０】
第２流出管が流出方向に向かうにつれて徐々に絞られているため、汚水に含まれる異物等が第２流出管の中で引っ掛かりにくくなる。そのため、蓋が第２流出口から取り外されて第流出口が開口している場合、汚水が第２流出管の中を好適に流れる。
【００２１】
例えば、絞り部は、テーパー面であってもよい。また、絞り部は、湾曲面であってもよい。
【００２２】
このことによって、汚水が第２流出管の中を滑らかに流れることができる。
【発明の効果】
【００２３】
本発明によれば、ますに接続される汚水配管に汚水の漏洩等の異常が発生した場合、汚水を、ますの外部へ好適に流すことが可能な、ますを提供することができる。
【図面の簡単な説明】
【００２４】
【図１】第１実施形態に係る、ますの斜視図である。
【図２】第１実施形態に係る、ますの平面図である。
【図３】図２のＩＩＩ−ＩＩＩ断面における部分断面図である。
【図４】図２のＩＶ−ＩＶ断面における部分断面図である。
【図５】蓋が取り外された、ますの平面図である。
【図６】図５のＶＩ−ＶＩ断面における、ますの部分断面図である。
【図７】図５のＶＩＩ−ＶＩＩ断面における、ますの部分断面図である。
【図８】蓋の平面図である。
【図９】蓋の正面図である。
【図１０】蓋の側面図である。
【図１１】第１実施形態に係る汚水設備の平面図である。
【図１２】第１実施形態に係る汚水設備の正面図である。
【図１３】蓋を取り外された、ますにおいて、ますに汚水配管を接続した状態を示す平面図である。
【図１４】第２実施形態に係る、蓋が取り外された、ますの正面断面図である。
【図１５】第３実施形態に係る、ますの正面部分断面図の一部拡大図である。
【図１６】第４実施形態に係る、蓋が取り外された、ますの平面図である。
【発明を実施するための形態】
【００２５】
以下、本発明の一実施形態に係るますを図面に基づいて説明する。ここで説明される実施形態は、当然ながら特に本発明を限定することを意図したものではない。また、各図は説明の便宜上、適宜に模式的に描かれており、各図における寸法関係（長さ、幅、厚さ等）は必ずしも実際の寸法関係を反映するものではない。また、同じ作用を奏する部材・部位には同じ符号を付し、重複する説明は省略または適宜簡略化する。
【００２６】
＜第１実施形態＞
以下、第１実施形態に係る、ますを説明する。ここで、図１は、本実施形態に係る、ます１Ａの斜視図である。図２は、本実施形態に係る、ます１Ａの平面図である。図３は、図２のＩＩＩ−ＩＩＩ断面における部分断面図である。図４は、図２のＩＶ−ＩＶ断面における部分断面図である。図５は、蓋５０が取り外されたます１Ａの平面図である。図６は、図５のＶＩ−ＶＩ断面におけるます１Ａの部分断面図である。図７は、図５のＶＩＩ−ＶＩＩ断面におけるます１Ａの部分断面図である。
【００２７】
図１から図４は、それぞれ蓋５０が第２流出管４１の流出口４０から取り付けられた状態を示している。これに対して、図５から図７は、それぞれ蓋５０が第２流出管４１の流出口４０から取り外された状態を示している。ここで、図５、図６、図７は、それぞれ図２、図３、図４にそれぞれ対応している。
【００２８】
《ます１Ａ》
ます１Ａは、図１、図２、図３および図４に示すように、ます本体１０と、蓋５０と、を備えている。ます本体１０は、筒状の胴体部１１と、流入側インバート２１と、第１流出側インバート３１と、第２流出管４１と、を備えている。流入側インバート２１と第１流出側インバート３１とは、それぞれ胴体部１１の側部１４に設けられている。流入側インバート２１に設けられた流入端２０と第１流出側インバート３１に設けられた流出端３０とは、胴体部１１内に配置されている。そして、第２流出管４１は、胴体部１１の下部に接続されている。また、胴体部１１内には、第２流出管４１に繋がる第２流出口４０（以下、適宜、第２流出口４０、第２流出管４１の流出口４０、或いは、単に流出口４０という。）が設けられている。この第２流出口４０には、流入端２０と流出端３０とが繋がっている。ここで、図５に示すように、第２流出口４０における、流入端２０の幅方向の中心Ｐ１と流出端３０の幅方向の中心Ｐ２とを繋ぐ第２流出口４０の開口距離Ｄ２は、第１流出側インバート３１における流出端３０の幅Ｄ１よりも長い。また、蓋５０は、図４に示すように、胴体部１１内で第２流出口４０に取り付けられ、第２流出口４０を閉塞する。
【００２９】
図２から図４に示すように、蓋５０が胴体部１１内で流出口４０に取り付けられ、流出口４０が閉塞された状態では、流入側インバート２１からます本体１０内（つまり、胴体部１１内）に流入した排水は、第１流出側インバート３１へ流出する。
【００３０】
これに対して、蓋５０が流出口４０から取り外され、流出口４０が開放された状態では、図５から図７に示すように、流出口４０は、流入側インバート２１の流入端２０と第１流出側インバート３１の流出端３０との間で上向きに開口している。そして、流入側インバート２１の流入端２０における幅方向の中心Ｐ１と第１流出側インバート３１の流出端３０における幅方向の中心Ｐ２とを繋ぐ方向における流出口４０の開口距離Ｄ２は、第１流出側インバート３１における流出端３０の幅Ｄ１よりも長い。このため、流入側インバート２１からます本体１０内（つまり、胴体部１１内）に流入した排水は、流出口４０へスムーズに流れ込む。
【００３１】
以下、かかる第１実施形態に係るます１Ａについてより詳しく説明する。ここでは、ます本体１０について、胴体部１１、流入側インバート２１、第１流出側インバート３１および第２流出管４１を順に説明し、その後、蓋５０を説明する。
【００３２】
《ます本体１０》
ここではまず、図５から図７を参照しつつ、胴体部１１に設けられた第２流出口４０から蓋５０が取り外されたます本体１０を説明する。
【００３３】
《胴体部１１》
胴体部１１は、図５から図７に示すように、ます本体１０の胴体を成す中心的な部位である。胴体部１１の上部１５は所要の容量を有する略円筒形状の筒体である。胴体部１１の上端開口１５ａは点検口として上向きに大きく開口している。上端開口１５ａからは、ます本体１０の内部が覗き込めるようになっている。かかる上端開口１５ａは、図示は省略するが、ます１Ａが埋設された後は、例えば、マンホールが取り付けられる。
【００３４】
胴体部１１の中間部１６は、図７に示すように、胴体部１１の上部１５から下方に連続しており、上部１５から徐々に絞られている。本実施形態では、図６に示すように、胴体部１１の中間部１６は、胴体部１１の中心軸Ｌ１に直交する一の直径（例えば、Ｌ２）に沿って、下方に向かうほど中心に近づくように両側から絞られている。当該絞られた部位は、後述する流下部１６ａとして機能する。また、胴体部１１の中間部１６の下には、胴体部１１の下部１７が胴体部１１の中心軸Ｌ１に沿って略円筒状に伸びている。なお、本実施形態では、胴体部１１の上部１５および下部１７は略円筒形状であるが、その形状は特に限定されず、例えば、横断面が四角形の筒形状であってもよい。
【００３５】
《流入側インバート２１》
流入側インバート２１は、胴体部１１の側部１４に設けられている。本実施形態では、流入側インバート２１は、図６に示すように、略円筒状の流入管によって構成されている。流入側インバート２１としての流入管は、胴体部１１の中間部１６および下部１７との境界よりも下側に設定された、胴体部１１の一の直径方向Ｌ２に沿って、胴体部１１の側部１４を貫通している。胴体部１１の内部に設けられた流入側インバート２１の一端（流入端２０）は、胴体部１１の下部１７に設けられた流出口４０の縁に連続している。また、胴体部１１の外部に設けられた流入側インバート２１の他端には、排水をます本体１０に流入させる流入管（図示省略）を差し込む受口２２が設けられている。また、胴体部１１の内部において、流入側インバート２１の流入端２０の上側は、半円弧状に切欠けられている。
【００３６】
なお、図３に示すように、流入側インバート２１の流入端２０には、後述する蓋５０の中間インバート５２の一端５２ａが載せられる。この際、流入側インバート２１の流入端２０には、中間インバート５２の一端５２ａを受ける窪んだ段差が設けられている。かかる流入端２０の段差は、中間インバート５２の一端５２ａの肉厚分窪んでいる。これにより、流入側インバート２１と蓋５０の中間インバート５２とが凡そ同じレベルで接続されている。これにより、流入側インバート２１から中間インバート５２へスムーズに排水が流れる。また、蓋５０が取り外された状態では、図６に示すように、かかる流入側インバート２１の流入端２０は、流出口４０に連続している。このため、蓋５０が取り外された状態では、流入側インバート２１の流入端２０から流出口４０へ排水が流れ込む。
【００３７】
《第１流出側インバート３１》
次に、第１流出側インバート３１は、胴体部１１の側部１４に設けられている。本実施形態では、第１流出側インバート３１は、図６に示すように、略円筒状の流出管（第１流出管）によって構成されている。本実施形態では、第１流出側インバート３１としての第１流入管は、流入側インバート２１が設けられた胴体部１１の一の直径方向Ｌ２と平行で、かつ、直径Ｌ２よりも少し下に設けられた他の直径方向Ｌ３に沿って、胴体部１１の側部１４を貫通している。胴体部１１の内部に配設された第１流出側インバート３１の一端（流出端３０）は、胴体部１１の下部１７に設けられた流出口４０の縁に連続している。また、胴体部１１の外部に設けられた第１流出側インバート３１の他端には、排水をます本体１０から外部に流出させる配管（図示省略）を差し込む受口３２が設けられている。また、胴体部１１の内部において、第１流出側インバート３１の一端３０の上側は、半円弧状に切欠けられている。このため、第１流出側インバート３１の一端３０は溝状であり、流出口４０に連続している。ここで、本実施形態では、流入側インバート２１に設けられた流入端２０と第１流出側インバート３１に設けられた流出端３０とは、流出口４０を挟んで、胴体部１１内で互いに対向している。
【００３８】
なお、図３に示すように、蓋５０が流出口４０に取り付けられた状態では、蓋５０に設けられた中間インバート５２の流出側の端部５２ｂが、第１流出側インバート３１の流出端３０の上に載せられる。この際、流入側インバート２１の流入端２０に比べて、第１流出側インバート３１の流出端３０は、中間インバート５２の肉厚よりも低い位置に設けられている。このため、中間インバート５２の流入側インバート２１側の端部５２ａは、第１流出側インバート３１側の端部５２ｂよりも同じか高く配置される。このため、排水は、流入側インバート２１から中間インバート５２を通じて第１流出側インバート３１へ流れ出る。
【００３９】
《流下部１６ａ》
また、胴体部１１の中間部１６に設けられた流下部１６ａは、流入側インバート２１が設けられた直径方向Ｌ２および第１流出側インバート３１が設けられた直径方向Ｌ３に向けて絞られている。つまり、中間部１６において、胴体部１１の側部１４は、直径方向Ｌ２および直径方向Ｌ３に直交する両側から下方に向けて絞られたテーパー状の斜面に沿って延びている。そして、当該流下部１６ａの下端は、円筒状の胴体部１１の下部１７および胴体部１１に貫通して延びた流入側インバート２１の流入端２０、および、第１流出側インバート３１の流出端３０に滑らかに連続している。かかる流下部１６ａによって、胴体部１１の上端開口１５ａ（ここでは点検口）に入り込んだ排水が、流下部１６ａを伝って、流出口４０または第１流出側インバート３１へ流れるようになっている。なお、本実施形態では、流下部１６ａは傾斜面であるが、流下部１６ａは滑らかな曲面としてもよい。
【００４０】
《流出口４０》
上述したように胴体部１１の中間部１６と下部１７との部位には、流入側インバート２１と第１流出側インバート３１が繋がっている。また、流入側インバート２１と第１流出側インバート３１との間に繋がって流出口４０が開口している。胴体部１１の下部１７は、流出口４０を含み、流入側インバート２１と第１流出側インバート３１よりも下側にさらに連続して延びている。本実施形態では、流出口４０は円形であり、胴体部１１の下部１７は円筒形状に延びている。流入側インバート２１と第１流出側インバート３１よりも下側に延びた、胴体部１１の下端部１７ａは、第２流出管４１に差し込まれる差口となっている。
【００４１】
ここで、流出口４０の開口距離Ｄ２は、図５に示すように、流入端２０の幅方向の中心Ｐ１と流出端３０の幅方向の中心Ｐ２とを繋ぐ流出口４０の距離によって規定されている。本実施形態では、流入端２０の幅方向の中心Ｐ１は、流入端２０の流出口４０と繋がる縁における流入側インバート２１の幅方向の中心として規定される。また、流出端３０の幅方向の中心Ｐ２は、流出端３０の流出口４０と繋がる縁における第１流出側インバート３１の幅方向の中心として規定される。また、流出端３０の幅Ｄ１は、ここでは、第１流出側インバート３１の中心軸Ｌ３と直交した方向における流出端３０の幅である。本実施形態では、流出口４０の開口距離Ｄ２は、流出端３０の幅Ｄ１よりも長い。
【００４２】
また、本実施形態では、流入側インバート２１は円筒状の流入管である。このため、流入端２０の幅方向の中心Ｐ１が最も深くなっている。このため、排水は、流入端２０の幅方向の中心Ｐ１上を中心に流れる。そして、排水は、流入端２０の幅方向の中心Ｐ１に沿った流れが速くなる。このため、ここでは、流出口４０の開口距離Ｄ２を規定するのに、流入端２０の幅方向の中心Ｐ１を基準に、流入端２０の幅方向と直交する方向（本実施形態では、Ｌ２）に沿って、流出口４０の開口距離を規定した。なお、流出口４０の開口距離Ｄ２は、流入端２０の幅方向の中心Ｐ１を通り、流入端２０の幅方向と直交する方向（本実施形態では、Ｌ２）における流出口４０の開口距離でもある。
【００４３】
本実施形態では、流出口４０の開口距離Ｄ２は、第１流出側インバート３１における流出端３０の幅Ｄ１よりも長い。このため、蓋５０が流出口４０から取り外された状態では、流入側インバート２１からの排水は、流出口４０を飛び越えず、流出口４０へスムーズに流れやすい。本実施形態では、流出口４０の開口距離Ｄ２は、流出端３０の幅Ｄ１よりも１．２倍程度に長い。このため、蓋５０が流出口４０から取り外された状態では、よほどの勢いがない限りは、流入側インバート２１からの排水は、流出口４０を飛び越えず、流出口４０へ流れ込む。なお、本実施形態では、流出口４０の開口距離Ｄ２は、流出端３０の幅Ｄ１よりも１．２倍程度に長いが、流出口４０の開口距離Ｄ２は、例えば、流出端３０の幅Ｄ１よりも１．１倍程度に長くてもよいし、１．２５倍程度に長くてもよい。また、流出口４０の開口距離Ｄ２は、例えば、流出端３０の幅Ｄ１よりも１．３倍以上（例えば、１．５倍程度）に長くしてもよい。
【００４４】
また、流入端２０の幅Ｄ３は、ここでは、第１流出側インバート３１の中心軸Ｌ２と直交した方向における流入端２０の幅である。本実施形態では、流出口４０の開口距離Ｄ２は、流入端２０の幅Ｄ３よりも長い。
【００４５】
具体的には、本実施形態では、流入端２０の幅Ｄ３は、流出端３０の幅Ｄ１と同程度であり、流出口４０の開口距離Ｄ２は、流入端２０の幅Ｄ３よりも１．２倍程度に長い。このため、図６に示すように、蓋５０が取り外されている状態においては、流入側インバート２１からよほどの勢いがある排水が流れてこない限り、流入側インバート２１からの排水は流出口４０へ流れる。なお、流出口４０の開口距離Ｄ２は、流入端２０の幅Ｄ３よりも長ければ、流入側インバート２１からの排水は流出口４０へ流れやすくなる。かかる観点において、好ましくは、流出口４０の開口距離Ｄ２は、流入端２０の幅Ｄ３よりも１．１倍以上であるとよく、より好ましくは流出口４０の開口距離Ｄ２は、流入端２０の幅Ｄ３よりも１．２倍以上（例えば、１．２５倍程度）、さらに好ましくは１．３倍以上（例えば、１．５倍程度）であるとよい。
【００４６】
《第２流出管４１、絞り部４５》
次に、第２流出管４１は、図６に示すように、横断面が略円形状の円筒管である。第２流出管４１の上端部４１ａは、胴体部１１の下端部１７ａが差し込まれる受口となっている。第２流出管４１は、絞り部４５を備えている。絞り部４５は、第２流出管４１の流出方向（本実施形態では下方）に向かうにつれて、第２流出管４１の内径が徐々に絞られるテーパー面である。本実施形態では、胴体部１１の下端部１７ａが差し込まれる第２流出管４１の上端部４１ａの最深部から連続して、絞り部４５が設けられている。また、絞り部４５の下端から連続した第２流出管４１の下端部４１ｂには、さらに配管を接続するための受口が設けられている。
【００４７】
なお、かかるます本体１０は、例えば、胴体部１１、流入側インバート２１、第１流出側インバート３１、第２流出管４１と成る複数の成形品（例えば、塩化ビニル製の成形品）を組み合わせて樹脂（例えば、ＦＲＰ）を塗り固めて一体化してもよい。この場合、ます本体１０の胴体部１１は、上部１５と中間部１６とを成形した第１部材と、胴体部１１の下部１７を成形した第２部材との２つの成形品で構成してもよい。この場合、胴体部１１の上部１５と中間部１６とを成形した第１部材には、流下部１６ａを設けておき、胴体部１１の下部１７と、流入側インバート２１と、第１流出側インバート３１とを組み合わせる開口を形成しておくとよい。また、胴体部１１の下部１７を成形した第２部材には、上記第１部材に差し込まれる差口と、流入側インバート２１と、第１流出側インバート３１とを受ける受部とが設けられているとよい。このように、ます本体１０は、複数の成形品を組み合わせて樹脂を塗り固めて一体化することによって、成形が容易になる。
【００４８】
《蓋５０》
次に、本実施形態に係る蓋５０を説明する。図１から図４に示すように、蓋５０は、第２流出管４１の流出口４０に取り付けられ、流出口４０を閉塞する部材である。図８は、蓋５０の平面図である。図９は、蓋５０の正面図である。図１０は、蓋５０の側面図である。図９に示すように、蓋５０は、中間インバート５２と、張り出し部５４と、嵌合部５６と、把持部５８とを備えている。
【００４９】
《嵌合部５６》
嵌合部５６は、図３および図９に示すように、ます本体１０に設けられた流出口４０から差し込まれて胴体部１１の下部１７に嵌め込まれる部位である。ここで、嵌合部５６の外径は、第２流出管４１の内径と凡そ同じであり、外周面には、シール部材５６ａが装着されている。嵌合部５６の上部には、図９に示すように、中間インバート５２が設けられている。
【００５０】
《中間インバート５２》
中間インバート５２は、図２および図８に示すように、ます本体１０内に設けられた流入側インバート２１の流出端２０と、第１流出側インバート３１の流出端３０との間の流路を形成する部位である。本実施形態では、中間インバート５２は、嵌合部５６の上に設けられている。中間インバート５２は、一の直線に沿って延びた溝状の部位である。中間インバート５２は、流出口４０の上に配置され、流入側インバート２１の流入端２０と、第１流出側インバート３１の流出端３０とを繋ぐように所要の長さを有している。本実施形態では、嵌合部５６を流出口４０に差し込み、流出口４０を閉塞した状態において、蓋５０の中間インバート５２は、流入側インバート２１と第１流出側インバート３１とを繋ぐインバートとして機能する。
【００５１】
また、本実施形態では、図２に示すように、流出口４０に嵌合部５６を嵌め込み、流入側インバート２１と第１流出側インバート３１とを繋ぐように中間インバート５２を配置する。このとき、中間インバート５２は、平面視において流出口４０に被さるように配置されている。本実施形態では、上述したように、流出口４０の開口距離Ｄ２は第１流出側インバート３１の流出端３０の幅Ｄ１よりも長く、また流出口４０は円形である。これに対して、蓋５０の中間インバート５２は、凡そ第１流出側インバート３１の流出端３０と同じ幅の溝である。このため、中間インバート５２を流出口４０の上に配置したときに、流出口４０は、中間インバート５２が配置された領域よりも広く開口している。つまり、平面視において、流出口４０のうち中間インバート５２が被さった領域の外側には、中間インバート５２の両側にそれぞれ隙間Ｓ１、Ｓ２が形成されている。
【００５２】
本実施形態では、蓋５０には、流出口４０に嵌る嵌合部５６があるため、かかる隙間が存在していても、流出口４０を閉塞するという蓋５０の機能は阻害されない。しかし、例えば、ます本体１０の上端開口１６ａから何らかの作業を行うときに、作業者がます本体１０内に物を落とすと、中間インバート５２の両側に形成された隙間Ｓ１、Ｓ２から流出口４０内に当該落下物が落ちるとも限らない。このため、本実施形態では、かかる隙間Ｓ１、Ｓ２を塞ぐ目的で、蓋５０には、中間インバート５２の両側から当該隙間Ｓ１、Ｓ２に向けて張り出した張り出し部５４が設けられている。かかる張り出し部５４によって、中間インバート５２の両側に形成された隙間Ｓ１、Ｓ２から流出口４０内に物が入るのを防止できる。また、かかる張り出し部５４によって、中間インバート５２の両側に形成された隙間Ｓ１、Ｓ２に、小動物などが入り込むのを防止することもできる。
【００５３】
《把持部５８》
また、本実施形態では、蓋５０の把持部５８は、中間インバート５２のうち嵌合部５６の上方に位置する部位に、上方に突出するように設けられている。中間インバート５２の幅方向の両側から中間インバート５２を横断するように延びた取手である。
【００５４】
なお、本実施形態では、蓋５０は、ます本体１０と同様に、例えば塩化ビニルやポリプロピレン等の合成樹脂によって成形するとよい。
【００５５】
以上、説明したように、本実施形態に係るます１Ａは、図２から図４に示すように、蓋５０の嵌合部５６が第２流出管４１の流出口４０内に嵌め込まれ、流出口４０が閉塞されている場合には、流入側インバート２１から中間インバート５２を通じて第１流出側インバート３１へ排水が流れる。これに対して、図５から図７に示すように、蓋５０を流出口４０から取り外すと、蓋５０は流入側インバート２１から流出口４０を通じ第２流出管４１へ排水が流れる。このように、ます１Ａは、蓋５０によって流出口４０が閉塞された状態と、蓋５０が流出口４０から取り外された状態とで、排水の流れが変わる。
【００５６】
特に、このます１Ａは、図５から図７に示すように、流出口４０は、流入側インバート２１の流入端２０と第１流出側インバート３１の流出端３０との間で上向きに開口している。そして、流出口４０の開口距離Ｄ２は、第１流出側インバート３１における流出端３０の幅Ｄ１よりも長い。このため、蓋５０が流出口４０から取り外され、流出口４０が開放された状態では、流入側インバート２１からます本体１０内（つまり、胴体部１１内）に流入した排水は、流出口４０へスムーズに流れ込む。
【００５７】
ところで、かかるます１Ａは、流入側インバート２１から排水が流れ込む。また、通常時は、蓋５０によって流出口４０を閉塞し、流入側インバート２１から第１流出側インバート３１へ排水が流される。第１流出側インバート３１は、例えば、汚水配管に繋がれる場合がある。汚水配管は、汚物を含む排水が流れるため、汚物が配管の内部で詰まってしまうことある。このます１Ａは、第２流出管４１に予め迂回用の配管を接続しておく。そして、第１流出側インバート３１に接続された汚水配管が詰まったような場合に、蓋５０を流出口４０から取り外し、第２流出管４１を開放し、排水を第２流出管４１へ流すのに用いられる。
【００５８】
本実施形態では、上述したようにます本体１０に設けられた第２流出管４１の流出口４０は、流入側インバート２１の流入端２０と第１流出側インバート３１の流出端３０との間で上向きに開口している。そして、流出口４０の開口距離Ｄ２は、第１流出側インバート３１の流出端３０の幅Ｄ１よりも長い。このため、流入側インバート２１より流入された汚水は、流出口４０および第２流出管４１を介して、ます本体１０の外部へスムーズに流れる。つまり、流出口４０の開口距離Ｄ２は、第１流出側インバート３１の流出端３０の幅Ｄ１と同じであるような場合に比べて、流入側インバート２１から流出口４０へスムーズに排水が流れる。このように、ます１Ａは、特に、蓋５０を流出口４０から取り外したときに、流入側インバート２１から流出口４０へスムーズに排水を流すことができる。
【００５９】
《汚水設備１００》
次に、本実施形態のます１Ａを使用した汚水設備１００について簡単に説明する。図１１は、第１実施形態に係る汚水設備１００の平面図である。図１２は、第１実施形態に係る汚水設備１００の正面図である。汚水設備１００は、主として災害時等における避難場所となるような学校または集会所等の比較的規模が大きい施設等において採用されるものである。しかし、汚水設備１００の適用範囲はこれに限定されるものではない。
【００６０】
図１１に示すように、本実施形態では、汚水設備１００は、敷地Ｘ内の地中に埋設されている。汚水設備１００は、ます１Ａと、流入管７０と、通常時流出管７２と、異常時流出管７４と、貯留槽８０と、を備えている。
【００６１】
図１３は、蓋５０を取り外した状態を示す、ます１Ａにおいて、ます１Ａに汚水配管を接続した状態を示す平面図である。この汚水配管とは、本実施形態では、流入管７０、通常時流出管７２および異常時流出管７４のことである。図１３に示すように、流入管７０は、ます１Ａの流入側インバート２１に接続されている。本実施形態では、流入側インバート２１の流入端２０と反対側の端部が受口２２となり、流入管７０の一端が差口となり、流入側インバート２１の中に流出管７０が差し込まれる。また、通常時流出管７２は、ます１Ａの第１流出側インバート３１に接続されている。本実施形態では、第１流出側インバート３１の流出端３０と反対側の端部が受口３２となり、通常時流出管７２が差口となり、第１流出側インバート３１に通常時流出管７２が差し込まれている。異常時流出管７４は、ます１Ａの第２流出管４１を介して流出口４０に接続されている。本実施形態では、第２流出管４１の下端４１ｂ（図２参照）が受口となり、異常時流出管７４の一端が差口となり、第２流出管４１に異常時流出管７４が差し込まれている。また、図１１に示すように、異常時流出管７４は、一端部がます１Ａの第２流出管４１に接続されており、他端部は貯留槽８０に接続されている。貯留槽８０の大きさや形状等は特に限定されず、例えば、設置される施設の種類または設置スペース等を考慮して、最適な大きさおよび形状等に施工されればよい。また、本実施形態では、図１２に示すように、貯留槽８０の上面には、鉛直方向に円筒部８１が突設されている。
【００６２】
本実施形態では、図１１および図１２に示すように、異常時流出管７４は、エルボ７５、７７と、直管７６、７８と、から構成されている。ただし、本実施形態の異常時流出管７４の構成はこれに限定されない。エルボ７５の一端部は、ます１Ａの第２流出管４１を介して流出口４０に接続されている。エルボ７５の他端部は直管７６の一端部に接続されている。また、直管７６の他端部は、エルボ７７の一端部に接続されている。そして、エルボ７７の他端部は直管７８の一端部に接続されている。直管７８の他端部は貯留槽８０に接続されている。なお、図示はしていないが、通常時流出管７２は、公道Ｙ側に配される公共ます等を介して下水本管に接続されている。
【００６３】
また、図１２に示すように、ます１Ａの胴体部１１の上部１５には、点検筒８２が接続されている。そして、点検筒８２の上部は、内蓋８３によって閉塞されている。また、点検筒８２および内蓋８３を保護するために、点検筒８２および内蓋８３を覆うように防護蓋８４が配置されている。また、防護蓋８４は、台座８５によって支持されている。台座８５は、地中に埋設された略円盤状のものである。台座８５によって、防護蓋８４に作用した荷重は地盤に均等に分散される。
【００６４】
本実施形態に係る汚水設備１００において、通常時、施設等からの汚水は、流入管７０を流れる。そして、汚水は、流入側インバート２１を介して、ます本体１０内に流れ込む。その後、通常時には、ます本体１０の流出口４０は蓋５０によって閉塞されているため、汚水は、蓋５０の中間インバート５２に流れ、更に、第１流出側インバート３１を介して通常時流出管７２に流れる。そして、汚水は、図示しない公共ます等を介して図示しない下水本管へと流れる。このとき、中間インバート５２によって、流入側インバート２１から第１流出側インバート３１へ繋がる流路が確保されているため、汚水は、流入側インバート２１から第１流出側インバート３１に好適に流れる。また、流出口４０は蓋５０によって閉塞されているため、通常時、汚水は流出口４０および第２流出管４１には流れない。
【００６５】
ます１Ａに接続される通常時流出管７２等の汚水配管に異常が発生した場合、作業者は、先ず、防護蓋８４および内蓋８３を取り外す。そして、作業者は、蓋５０の把持部５８を引き上げることで、蓋５０を流出口４０から取り外す。なお、把持部５８に手が届かない場合は、例えば、フック等を有する棒等を使用して、そのフックを把持部５８に引っ掛けることで蓋５０を引き上げてもよい。
【００６６】
蓋５０が取り外され、流出口４０が開放されると、ます本体１０内の汚水は、流出口４０および第２流出管４１を通って貯留槽８０に流出する。このとき、流出口４０は、ます本体１０の胴体部１１の下部１７に下向きに設けられているため、流入側インバート２１から流入した汚水は、流出口４０へと自然落下する。また、図５に示すように、流出口４０の開口距離Ｄ２は、第１流出側インバート３１の流出端３０の幅Ｄ１よりも長い。このため、汚水は、流入側インバート２１から流出口４０へスムーズに流れ込み、第２流出部４１を通って、貯留槽８０に流出される。このように、蓋５０が取り外され、流出口４０が開放されると、汚水は、流入側インバート２１から流出口４０へスムーズに流れ込む。また、第１流出側インバート３１に汚水が流れるのを抑止することができる。このため、例えば、第１流出側インバート３１に接続された通常時流出管７２に異常があった場合でも、ます１Ａの上流に設けられた施設からの排水を停止することなく、第１流出側インバート３１側に接続された通常時流出管７２の異常個所の修理や復旧作業を効率よく行うことができる。
【００６７】
なお、上記復旧作業が終了した場合、流出口４０に蓋５０を取り付けることで流出口４０を閉塞する。このことによって、流出口４０および第２流出管４１への汚水の流出が停止し、流入側インバート２１から流入された汚水は、中間インバート５２を介して第１流出側インバート３１へと流れ込む。
【００６８】
以上のように、本実施形態では、ます１Ａは、図１、図２、図３および図４に示すように、ます本体１０と、蓋５０と、を備えている。ます本体１０は、図６に示すように、筒状の胴体部１１と、流入側インバート２１と、第１流出側インバート３１と、第２流出管４１と、を備えている。そして、流入側インバート２１と第１流出側インバート３１とは、それぞれ胴体部１１の側部１４に設けられている。流入側インバート２１に設けられた流入端２０と第１流出側インバート３１に設けられた流出端３０とは、胴体部１１内で配置されている。そして、第２流出管４１は、胴体部１１の下部に接続されている。また、胴体部１１内には、第２流出管４１に繋がる流出口４０が設けられている。流出口４０には、流入端２０と流出端３０とが繋がっている。そして、図５に示すように、流出口４０における、流入端２０の幅方向の中心Ｐ１と流出端３０の幅方向の中心Ｐ２とを繋ぐ流出口４０の開口距離Ｄ２は、第１流出側インバート３１における流出端３０の幅Ｄ１よりも長い。また、蓋５０は、胴体部１１内で流出口４０に取り付けられ、流出口４０を閉塞する。また、本実施形態では、流出口４０の開口距離Ｄ２は、流入端２０の幅方向の中心Ｐ１を通り、流入端２０の幅方向と直交する方向における流出口４０の開口距離でもある。
【００６９】
本実施形態では、図３に示すように、蓋５０が流出口４０を閉塞している場合、排水は流入側インバート２１から第２流出管４１には流れずに、第１流出側インバート３１へ流れる。そして、図６に示すように、蓋５０が流出口４０から取り外されている場合、排水は流入側インバート２１から第２流出管４１へ流れる。このとき、流出口４０には、流入側インバート２１の流入端２０と第１流出側インバート３１の流出端３０とが繋がっており、かつ、図５に示すように、流出口４０の開口距離Ｄ２は、流出端３０の幅Ｄ１よりも長いため、流入側インバート２１より流入された排水は、第１流出側インバート３１よりも第２流出管４１へと流れ易い。よって、蓋５０が流出口４０を閉塞している場合、排水を流入側インバート２１から第１流出側インバート３１へ好適に流すことができ、蓋５０が流出口４０から取り外されている場合、排水を流入側インバート２１から第２流出管４１へ好適に流すことができる。
【００７０】
本実施形態によれば、図５に示すように、流入側インバート２１の流入端２０における幅方向の中心Ｐ１と第１流出側インバート３１の流出端３０における幅方向の中心Ｐ２とを繋ぐ流出口４０の開口距離Ｄ２は、流入側インバート２１の流入端２０の幅Ｄ３よりも長い。このことによって、単位時間あたりにおいて、流入側インバート２１から流入できる排水の量よりも、流出口４０を介して第２流出管４１へ流出できる排水の量の方が多い。そのため、蓋５０が流出口４０から取り外されている場合、流入側インバート２１から流入された排水は、あふれることなく流出口４０を介して第２流出管４１へと流れる。よって、蓋５０が流出口４０から取り外されて流出口４０が開口している場合、排水を流出口４０へ好適に流すことができる。
【００７１】
本実施形態によれば、図６に示すように、第２流出管４１は、第２流出管４１の流出方向に向かうにつれて徐々に絞られた絞り部４５を備えている。そして、絞り部４５は、テーパー面である。このことによって、第２流出管４１が第２流出管４１の流出方向に向かうにつれて徐々に絞られているため、排水に含まれる異物等が第２流出管４１の中で引っ掛かりにくくなる。そのため、蓋５０が流出口４０から取り外されて流出口４０が開口している場合、排水が第２流出管４１の中を好適に流れる。また、絞り部４５がテーパー面であるため、排水が第２流出管の中を滑らかに流れることができる。
【００７２】
本実施形態によれば、図２に示すように、平面視において、流出口４０は、中間インバート５２が配置された領域よりも広く開口している。そして、蓋５０は、流出口４０のうち中間インバート５２が配置された領域の外側に形成された隙間Ｓ１、Ｓ２に張り出した張り出し部５４を備えている。このことによって、蓋５０の嵌合部５６が流出口４０内に嵌め込まれている状態において、中間インバート５２と流出口４０との間には隙間Ｓ１、Ｓ２がある。そのため、作業者がます１Ａを点検等する際に、作業者の持ち物等が隙間Ｓ１、Ｓ２に入り込むことが考えられる。しかし、本実施形態では、中間インバート５２には、隙間Ｓ１、Ｓ２に張り出した張り出し部５４が形成されているため、作業者の持ち物等が隙間Ｓ１、Ｓ２に入り込むことを防止することができる。
【００７３】
本実施形態によれば、図６に示すように、胴体部１１の中間部１６のうち流下部１６ａは、胴体部１１の中心軸Ｌ１に直交する一の直径（例えば、Ｌ２）に沿って、その両側が下方に向かうほど中心に近づくように絞られている。このことによって、胴体部１１の上端開口１５ａ（ここでは点検口）に入り込んだ排水が、流下部１６ａを伝って、流出口４０または第１流出側インバート３１へ流れるようになる。よって、排水は流下部１６ａに溜まることなく、第１流出側インバート３１または流出口４０に向かって流れる。
【００７４】
本実施形態によれば、図３に示すように、蓋５０は、第２流出管４１内に嵌め込まれる嵌合部５６と、流入側インバート２１と第１流出側インバート３１とを繋ぐ中間インバート５２と、を備えている。このことによって、蓋５０によって流出口４０が閉塞されている場合、嵌合部５６によって流出口４０を介して第２流出管４１内に排水が流れることを防止することができる。また、蓋５０によって流出口４０が閉塞されている場合、中間インバート５２によって流入側インバート２１と第１流出側インバート３１とが繋がれているため、排水は、中間インバート５２を介して第１流側インバート３１へ好適に流れる。このように、本実施形態では、蓋５０によって流出口４０が閉塞されている場合、流入側インバート２１から流入された排水が流出口４０および第２流出管４１に流れることを好適に防止すると共に、排水を第１流出側インバート３１へ好適に流すことができる。
【００７５】
本実施形態によれば、図１０に示すように、中間インバート５２のうち、嵌合部５６の上方に位置する部位に、上方に突出した把持部５８が形成されている。図８に示すように、把持部５８は、中間インバート５２の幅方向の両側から前記中間インバート５２を横断するように延びた取手である。図３に示すように、嵌合部５６が第２流出管４１内に嵌合されている場合、嵌合部５６にかかる圧力等によって上記嵌合を解除しにくいときがある。しかし、本実施形態では、中間インバート５２のうち、嵌合部５６の上方に位置する部位に把持部５８が形成されているため、作業者は、把持部５８を持って蓋を持ち上げることで、嵌合部５６を第２流出管４１内から容易に外すことができる。また、把持部５８から、中間インバート５２の向きを特定することができる。よって、作業者は、中間インバート５２を流入側インバート２１と第１流出側インバート３１を繋ぐように配置し易くなる。
【００７６】
以上、第１実施形態に係る、ます１Ａについて説明した。なお、本発明に係る、ますは、第１実施形態に係る、ます１Ａに限らず、他の種々の形態で実施することができる。次に、他の実施形態について簡単に説明する。
【００７７】
＜第２実施形態＞
第１実施形態では、ます１Ａにおける第２流出管４１の絞り部４５は、第２流出管４１の流出方向に向かうにつれて徐々に絞られたテーパー面であった。しかし、第２流出管４１の絞り部４５はテーパー面でなくてもよい。
【００７８】
次に、第２実施形態について説明する。本実施形態において、第１実施形態と同じ構成の箇所は同じ符号を使用し、その説明は省略する。図１４は、第２実施形態に係る、ます１Ｂにおけるます本体１０の正面断面図である。図１４に示すように、本実施形態では、第１実施形態と同様に第２流出管４１は、絞り部４５を備えている。
【００７９】
本実施形態では、絞り部４５は、第２流出管４１の流出方向に向かうにつれて徐々に絞られたものである。なお、「第２流出管４１の流出方向」とは、排水が第２流出管４１内を流れる方向のことであり、図１４では、上から下へ向かう方向のことである。本実施形態では、絞り部４５は、第２流出管４１の流出方向に向かうにつれて徐々に絞られた湾曲面である。絞り部４５は、第２流出管４１の内側に向かって湾曲している。しかし、本実施形態では、絞り部４５は、第２流出管４１の流出方向に向かうにつれて徐々に絞られたものであればよく、例えば、絞り部４５は、第２流出管４１の外側に向かって湾曲している湾曲面であってもよい。本実施形態では、胴体部１１の下端部１７ａが差し込まれる第２流出管４１の上端部４１ａの最深部から連続して、絞り部４５が設けられている。また、絞り部４５の下端から連続した第２流出管４１の下端部４１ｂには、さらに配管を接続するための受口が設けられている。
【００８０】
このように、本実施形態では、第２流出管４１の絞り部４５は、第２流出管４１の流出方向に向かうにつれて徐々に絞られる湾曲面であるため、第１実施形態と同様に、排水に含まれる異物等が第２流出管４１の中で引っ掛かりにくくなる。そのため、排水が第２流出管４１の中を好適に流れる。
【００８１】
＜第３実施形態＞
第１実施形態および第２実施形態では、ます１Ａ、および、ます１Ｂにおけるます本体１０の流出口４０のうち、流入側インバート２１と繋がる部位は、鉛直方向に延びていた。しかし、流出口４０のうち流入側インバート２１と繋がる部位は、鉛直方向に延びていなくてもよい。
【００８２】
次に、第３実施形態について説明する。本実施形態において、第１実施形態および第２実施形態と同じ構成の箇所は同じ符号を使用し、その説明は省略する。図１５は、第３実施形態に係るます１Ｃの正面部分断面図の一部拡大図である。図１５に示すように、ます本体１０は、ガイド４３を備えている。
【００８３】
本実施形態では、ガイド４３は、流出口４０のうち流入側インバート２１の流入端２０と繋がる部位のことであり、流入側インバート２１の流入端２０から第２流出管４１の流出方向に向けて徐々に落ち込んだ傾斜面である。ただし、ガイド４３は、傾斜面に限定されず、湾曲面であってもよい。また、蓋５０が流出口４０を閉塞している状態において、中間インバート５２は、ガイド４３の上に延び、かつ、流入側インバート２１と第１流出側インバート３１とを繋いでいる。蓋５０が流出口４０を閉塞しているとき、平面視において、ガイド４３は、中間インバート５２によって隠れている。
【００８４】
本実施形態では、蓋５０によって流出口４０が閉塞されている状態において、中間インバート５２は、流入側インバート２１と第１流出側インバート３１とを繋いでいる。この場合、流入側インバート２１から流入された排水は、中間インバート５２を介して第１流出側インバート３１へ流れる。このとき、中間インバート５２は、ガイド４３の上にまで延びているため、排水は、流入側インバート２１からガイド４３に導かれて第２流出管４１に流れない。一方、蓋５０が流出口４０から取り外されて流出口４０が開口している場合、流入側インバート２１から流入された排水は、ガイド４３に導かれながら第２流出管４１へ流出される。また、ガイド４３が傾斜面のため、表面張力が発生し、排水を第２流出管４１へ導き易くなる。よって、排水を第２流出管４１へ好適に流すことができる。
【００８５】
＜第４実施形態＞
上記各実施形態では、流入側インバート２１と第１流出側インバート３１とは、平面視において、その中心軸Ｌ２と中心軸Ｌ３とが一直線上となるように、ます本体１０の胴体部１１の側部１４に貫通していた。しかし、流入側インバート２１と第１流出側インバート３１とは、その中心軸Ｌ２と中心軸Ｌ３とが平面視において一直線上でなくてもよい。
【００８６】
かかる変形例として、第４実施形態を説明する。ここで、図１６は、第４実施形態に係る、蓋５０が取り外された、ます１Ｄの平面図である。
【００８７】
本実施形態では、図１６に示すように、流入側インバート２１は、胴体部１１の側部１４に貫通している。流入側インバート２１は、その中心軸Ｌ２が胴体部１１の中心軸Ｌ１と直交するように、胴体部１１の側部１４に配置されている。また、第１流出側インバート３１は、その中心軸Ｌ３が胴体部１１の中心軸Ｌ１と直交するように、胴体部１１の側部１４に貫通している。ここで、流入側インバート２１の中心軸Ｌ２と第１流出側インバート３１の中心軸Ｌ３とは、平面視において交差している。具体的には、中心軸Ｌ３と中心軸Ｌ２との交差角は、胴体部１１の中心軸Ｌ１を中心として１３５度程度になっている。なお、本実施形態では、中心軸Ｌ３と中心軸Ｌ２との交差角は、１００度から１８０度までの間（例えば、１３０度、１５０度、１７０度など）であってもよい。また、胴体部１１の下部１７には、流入側インバート２１の流入端２０の縁および第１流出側インバート３１の流出端３０の縁に連続し、上方に向けて開口した第２流出管４１の流出口４０が設けられている。
【００８８】
ここで、流出口４０の開口距離Ｄ２は、流入端２０の幅方向の中心Ｐ１と流出端３０の幅方向の中心Ｐ２とを繋ぐ距離である。ここでは、流入端２０の幅方向の中心Ｐ１は、流入端２０の流出口４０と繋がる縁における流入側インバート２１の幅方向の中心として規定される。また、流出端３０の幅方向の中心Ｐ２は、流出端３０の流出口４０と繋がる縁における第１流出側インバート３１の幅方向の中心として規定される。流出口４０の開口距離Ｄ２は、図１６に示すように、第１流出側インバート３１における流出端３０の幅Ｄ１よりも長い。また、本実施形態では、流出口４０の開口距離Ｄ２は、流入側インバート２１における流入端２０の幅Ｄ３よりも長い。
【００８９】
このように、本実施形態では、流入側インバート２１と第１流出側インバート３１とは、その中心軸Ｌ２と中心軸Ｌ３とが一直線上になっていないが、流出口４０の開口距離Ｄ２は流出端３０の幅Ｄ１よりも長い。このため、蓋５０が流出口４０から取り外された状態では、流入側インバート２１からの排水は、流出口４０を飛び越えず、流出口４０へスムーズに流れやすい。
【００９０】
また、本実施形態では、流入側インバート２１は円筒状の流入管である。このため、流入端２０の幅方向の中心Ｐ１が最も深くなっている。このため、排水は、流入端２０の幅方向の中心Ｐ１上を中心に流れる。そして、排水は、流入端２０の幅方向の中心Ｐ１に沿った流れが速くなる。このため、ここでは、流出口４０の開口距離は、図１６に示すように、流入端２０の幅方向の中心Ｐ１を基準に、流入端２０の幅方向と直交する方向（本実施形態では、Ｌ２）に沿った、流出口４０の開口距離Ｄ４（第２開口距離）によって規定してもよい。
【００９１】
この実施形態では、かかる流出口４０の開口距離Ｄ４は、流出端３０の幅Ｄ１よりも長い。ここで、流入側インバート２１に沿って流れる排水は、流入側インバート２１の流入端２０から流入側インバート２１の中心軸Ｌ２に沿った方向に流れる。このため、流入端２０からは、流入端２０の幅方向と直交する方向に沿って、第２流出管４１の流出口４０に流れ出る。
【００９２】
このとき、本実施形態では、流入端２０の幅方向の中心Ｐ１を基準に、流入端２０の幅方向と直交する方向Ｌ２に沿った、流出口４０の開口距離Ｄ４が、流入口４０の第２開口距離Ｄ４が流出端３０の幅Ｄ１よりも長い。このため、蓋５０が流出口４０から取り外された状態では、流入インバート２１から流れ込む排水は、流入端２０に対向する第２流出管４１の流出口４０の縁に到達することなく、当該流出口４０に流れていく。このため、蓋５０が流出口４０から取り外された状態では、流入側インバート２１からの排水は、流出口４０へスムーズに流れる。
【００９３】
本実施形態に係る、ます１Ｄのその他の構成は、第１実施形態と同様のため、その説明は省略する。以上のような構成のます１Ｄであっても、上記各実施形態と同様の効果が得られる。
【００９４】
＜その他の実施形態＞
上記各実施形態では、流入側インバート２１は円筒状の流入管であり、第１流出側インバート３１は円筒状の流出管であった。しかし、流入側インバート２１および第１流出側インバート３１は、筒状の管のうち半円弧状に切欠けられた溝状の部位であってもよい。このような構成の流入側インバート２１および第１流出側インバート３１であっても、上記各実施形態と同様の効果が得られる。
【００９５】
＜変形例＞
上記各実施形態では、流入側インバート２１は、ます本体１０の胴体部１１の側部１４に１つ設けられていた。しかし、流入側インバート２１は、ます本体１０の胴体部１１の側部１４に複数設けられていてもよい。例えば、２つの流入側インバート２１が胴体部１１の側部１４に設けられていた場合、一方の流入側インバート２１の流入端２０における幅方向の中心と第１流出側インバート３１の流出端３０における幅方向の中心とを繋ぐ第２流出管４１の流出口４０の開口距離、および、他方の流入側インバート２１の流入端２０における幅方向の中心と第１流出側インバート３１の流出端３０における幅方向の中心とを繋ぐ第２流出管４１の流出口４０の開口距離は、共に第１流出側インバート３１における流出端３０の幅よりも長ければよい。また、中間インバート５２は、一方の流入側インバート２１と第１流出側インバート３１とを繋ぎ、かつ、他方の流入側インバート２１と第１流出側インバート３１とを繋ぐものであればよい。
【００９６】
上記各実施形態では、第１流出側インバート３１は、ます本体１０の胴体部１１の側部１４に１つ設けられていた。しかし、第１流出側インバート３１は、ます本体１０の胴体部１１の側部１４に複数設けられていてもよい。例えば、２つの第１流出側インバート３１が胴体部１１の側部１４に設けられていた場合、流入側インバート２１の流入端２０における幅方向の中心と一方の第１流出側インバート３１の流出端３０における幅方向の中心とを繋ぐ第２流出管４１の流出口４０の開口距離は、一方の第１流出側インバート３１における流出端３０の幅よりも長く、かつ、流入側インバート２１の流入端２０における幅方向の中心と他方の第１流出側インバート３１の流出端３０における幅方向の中心とを繋ぐ方向における第２流出管４１の流出口４０の開口距離は、他方の第１流出側インバート３１における流出端３０の幅よりも長ければよい。また、中間インバート５２は、流入側インバート２１と一方の第１流出側インバート３１を繋ぎ、かつ、流入側インバート２１と他方の第１流出側インバート３１とを繋ぐものであればよい。
【符号の説明】
【００９７】
１Ａ、１Ｂ、１Ｃ、１Ｄ  ます
１０  ます本体
１１  胴体部
１４  側部
１５  上部
１６  中間部
１６ａ  流下部
１７  下部
２０  流入端
２１  流入側インバート
３０  流出端
３１  第１流出側インバート
４０  流出口（第２流出口）
４１  第２流出管
４３  ガイド
４５  絞り部
５０  蓋
５２  中間インバート
５４  張り出し部
５６  嵌合部
５８  把持部
１００  汚水設備
【図１】
2014163056.tif 000003
【図２】
2014163056.tif 000004
【図３】
2014163056.tif 000005
【図４】
2014163056.tif 000006
【図５】
2014163056.tif 000007
【図６】
2014163056.tif 000008
【図７】
2014163056.tif 000009
【図８】
2014163056.tif 000010
【図９】
2014163056.tif 000011
【図１０】
2014163056.tif 000012
【図１１】
2014163056.tif 000013
【図１２】
2014163056.tif 000014
【図１３】
2014163056.tif 000015
【図１４】
2014163056.tif 000016
【図１５】
2014163056.tif 000017
【図１６】
2014163056.tif 000018